(57)【要約】      （修正有）【課題】電源装置とコンテナの電力受給部とを接続するケーブルの切断を抑制する。【解決手段】車両１２は、電源装置１３から電力を供給する送電コネクタ２１と、送電コネクタ２１と電気的に接続可能な車両側コネクタ２２とを備える。コンテナ１１は、車両１２に搭載された状態で送電コネクタ２１と電気的に接続されることにより冷凍装置２４に対して庫内を冷凍するための電力を供給するコンテナ側コネクタ２３を備える。車両制御部１５は、送電コネクタ２１が、車両側コネクタ２２に電気的に接続されていない時に、コンテナ１１を車両１２から離脱する操作が開始された場合、或いは送電コネクタ２１が、車両側コネクタ２２及びコンテナ側コネクタ２３の何れにも電気的に接続されていない時に、前記車両１２を走行させる操作が開始された場合は、警報部１４ａ、１４ｂへ警報を発することを指示する。【選択図】図１
2014008919.tif 000002
【特許請求の範囲】
【請求項１】
庫内を冷凍する冷凍装置を備えるコンテナと、
前記冷凍装置に対して前記庫内を冷凍するための電力を供給する電源装置を備え、且つ前記コンテナを搭載可能である車両と、
警報を発する警報部と、
制御部と、
を有するコンテナ着脱式冷凍車であって、
前記車両は、前記電源装置から前記電力を供給する送電コネクタと、
前記送電コネクタと電気的に接続可能な車両側コネクタと、を備え、
前記コンテナは、前記車両に搭載された状態で前記送電コネクタと電気的に接続されることにより前記冷凍装置に対して前記庫内を冷凍するための電力を供給するコンテナ側コネクタを備え、
前記制御部は、前記送電コネクタが、前記車両側コネクタに電気的に接続されていない時に、前記コンテナを前記車両から離脱する操作が開始された場合は、前記警報部へ警報を発することを指示する
ことを特徴とするコンテナ着脱式冷凍車。
【請求項２】
庫内を冷凍する冷凍装置を備えるコンテナと、
前記冷凍装置に対して前記庫内を冷凍するための電力を供給する電源装置を備え、且つ前記コンテナを搭載可能である車両と、
警報を発する警報部と、
制御部と、
を有するコンテナ着脱式冷凍車であって、
前記車両は、前記電源装置から前記電力を供給する送電コネクタと、
前記送電コネクタと電気的に接続可能な車両側コネクタと、を備え、
前記コンテナは、前記車両に搭載された状態で前記送電コネクタと電気的に接続されることにより前記冷凍装置に対して前記庫内を冷凍するための電力を供給するコンテナ側コネクタを備え、
前記制御部は、前記送電コネクタが、前記車両側コネクタ及び前記コンテナ側コネクタの何れにも電気的に接続されていない時に、前記車両を走行させる操作が開始された場合は、前記警報部へ警報を発することを指示する
ことを特徴とするコンテナ着脱式冷凍車。
【請求項３】
前記制御部は、前記送電コネクタが、前記車両側コネクタに電気的に接続されている時に限り、前記コンテナを前記車両から離脱する操作を許可することを特徴とする請求項１又は２に記載のコンテナ着脱式冷凍車。
【請求項４】
前記制御部は、前記送電コネクタが、前記車両側コネクタ或いは前記コンテナ側コネクタに電気的に接続されている時に限り、前記車両を走行させる操作を許可することを特徴とする請求項１〜３のいずれか一項に記載のコンテナ着脱式冷凍車。
【請求項５】
前記送電コネクタは送電側制御端子を備え、
前記車両側コネクタ及び前記コンテナ側コネクタは、前記送電コネクタと電気的に接続されることにより、前記送電側制御端子と短絡する制御端子をそれぞれ備え、
前記制御部は、前記送電側制御端子がいずれか一方の制御端子と短絡しているか否かに応じて、前記送電コネクタが前記車両側コネクタ及び前記コンテナ側コネクタの何れかに電気的に接続されているか否かを判断する
ことを特徴とする請求項１〜４のいずれか一項に記載のコンテナ着脱式冷凍車。
【発明の詳細な説明】
【技術分野】
【０００１】
本発明は、コンテナ着脱式冷凍車に関し、特に、庫内を冷凍する冷凍装置を備えるコンテナを車両の上に着脱自在に搭載可能なコンテナ着脱式冷凍車に関する。
【背景技術】
【０００２】
従来から、車両とコンテナの着脱を、車両上に設けられた載置装置を用いて行うコンテナ着脱式冷凍車が知られている。コンテナ着脱式冷凍車では、冷凍装置に対して庫内を冷凍するための電力を供給する電源装置が車両側に搭載され、ケーブル及び送電コネクタを用いて電源装置とコンテナ側の電力受給部とを接続している。ケーブルの切断を防止するため、コンテナ側の電力受給部に送電コネクタが接続されている場合に、コンテナを車両から離脱しようとすると警報を発している（例えば、特許文献１参照）。
【先行技術文献】
【特許文献】
【０００３】
【特許文献１】実開平４−７８１９３号公報
【発明の概要】
【発明が解決しようとする課題】
【０００４】
電源装置とコンテナの電力受給部とを接続するケーブル内に断線が生じている場合、及び電源装置とコンテナの電力受給部とを接続する送電コネクタに接触不良が生じている場合、コンテナから送電コネクタが外れている場合と電気的に同じ条件となる。このため、コンテナを車両から離脱しようとしても警報を発することができず、ケーブルを切断してしまうおそれがある。
【０００５】
また、車両にコンテナが搭載されていない時は、送電コネクタの接続先が無く、送電コネクタを固定することができないため、走行中にケーブルが切断されて送電コネクタが脱落してしまうおそれがある。
【０００６】
そこで、本発明は、電源装置とコンテナの電力受給部とを接続するケーブルの切断を更に抑制することができるコンテナ着脱式冷凍車を提供することを目的とする。
【課題を解決するための手段】
【０００７】
上記目的を達成するための本発明は、以下に示す第１の特徴を備える。コンテナ着脱式冷凍車は、庫内を冷凍する冷凍装置を備えるコンテナと、冷凍装置に対して庫内を冷凍するための電力を供給する電源装置を備え、且つコンテナを搭載可能である車両と、警報を発する警報部と、制御部とを有する。車両は、電源装置から電力を供給する送電コネクタと、送電コネクタと電気的に接続可能な車両側コネクタとを備える。コンテナは、車両に搭載された状態で送電コネクタと電気的に接続されることにより冷凍装置に対して庫内を冷凍するための電力を供給するコンテナ側コネクタを備える。制御部は、送電コネクタが、車両側コネクタに電気的に接続されていない時に、コンテナを車両から離脱する操作が開始された場合に、警報部に警報を発することを指示する。
【０００８】
上記した本発明の第１の特徴によれば、コネクタ同士が機械的な接続不良により電気的に接触していない場合、或いは電源装置とコンテナの電力受給部とを接続するケーブル内に断線が生じている場合における、コンテナの離脱操作に対して警報を発することができるので、ケーブルを切断してしまうことを抑制できる。
【０００９】
また、上記目的を達成するための本発明は、以下に示す第２の特徴を備える。つまり、制御部は、送電コネクタが、車両側コネクタ及びコンテナ側コネクタの何れにも電気的に接続されていない時に、車両を走行させる操作が開始された場合は、警報部へ警報を発することを指示する。
【００１０】
上記した本発明の第２の特徴によれば、車両にコンテナが搭載されていない時、送電コネクタが車両側コネクタに接続されていなければ警報を発することができるので、走行中にケーブルが切断されて送電コネクタが車両から脱落してしまうことを抑制できる。
【００１１】
本発明の第１及び第２の特徴において、制御部は、送電コネクタが、車両側コネクタに電気的に接続されている時に限り、コンテナを車両から離脱する操作を許可してもよい。これにより、送電コネクタが、車両側コネクタに電気的に接続されていなければ、コンテナの離脱操作が禁止されるので、ケーブルの切断を更に抑制できる。
【００１２】
本発明の第１及び第２の特徴において、制御部は、送電コネクタが、車両側コネクタ或いはコンテナ側コネクタに電気的に接続されている時に限り、車両を走行させる操作を許可してもよい。これにより、送電コネクタが、車両側コネクタ或いはコンテナ側コネクタに電気的に接続されていなければ、車両を走行させる操作が禁止されるので、走行中にケーブルが切断されて送電コネクタが車両から脱落してしまうことを更に抑制できる。
【００１３】
本発明の第１及び第２の特徴において、送電コネクタは送電側制御端子を備え、車両側コネクタ及びコンテナ側コネクタは、送電コネクタと電気的に接続されることにより、送電側制御端子と短絡する制御端子をそれぞれ備えていてもよい。この場合、制御部は、送電側制御端子がいずれか一方の制御端子と短絡しているか否かに応じて、送電コネクタが車両側コネクタ及びコンテナ側コネクタの何れかに電気的に接続されているか否かを判断することができる。これにより、コネクタ同士の接続状態或いは非接続状態を正しく判断することができる。
【発明の効果】
【００１４】
本発明にかかるコンテナ着脱式冷凍車によれば、電源装置とコンテナの電力受給部とを接続するケーブルの切断を更に抑制することができる。
【図面の簡単な説明】
【００１５】
【図１】図１は、本発明の実施の形態に係わるコンテナ着脱式冷凍車の全体構成を示すブロック図である。
【図２】図２（ａ）は、送電コネクタ２１とコンテナ側コネクタ２３との接続状態を示す模式図であり、図２（ｂ）は、送電コネクタ２１と車両側コネクタ２２との接続状態を示す模式図である。
【図３】図３は、コンテナ着脱式冷凍車の外観図であり、図３（ａ）は、コンテナ１１を車両１２に搭載した状態を示し、図３（ｂ）は、載置装置２６を用いてコンテナ１１を車両１２から離脱する途中の様子を示す。
【図４】図４は、第１の実施の形態に係わるコンテナ着脱式冷凍車の制御動作の一例を示すフローチャートである。
【図５】図５は、第２の実施の形態に係わるコンテナ着脱式冷凍車の制御動作の一例を示すフローチャートである。
【発明を実施するための形態】
【００１６】
以下、本発明の実施形態について図面を参照しつつ詳細に説明する。
【００１７】
[第１の実施形態]
先ず、図１のブロック図を参照して、本発明の実施の形態に係わるコンテナ着脱式冷凍車の全体構成を説明する。コンテナ着脱式冷凍車は、庫内を冷凍する冷凍装置２４を備えるコンテナ１１と、コンテナ１１を着脱自在に搭載することができる車両１２と、警報を発する警報部（１４ａ、１４ｂ）と、制御部（車両制御部１５）と、を有する。
【００１８】
本発明の実施の形態では、警報部（１４ａ、１４ｂ）には、車両１２に搭載された車両側警報部１４ａと、コンテナ１１に搭載されたコンテナ側警報部１４ｂとが含まれる場合について説明する。しかし、これに限らず、車両側警報部１４ａ或いはコンテナ側警報部１４ｂの何れか一方のみであっても構わない。また、制御部が車両１２に搭載された車両制御部１５である場合について説明するが、コンテナ１１に搭載したコンテナ制御部１６であってもよい。
【００１９】
先ず、庫内を冷凍するための電力の伝送系の構成について説明する。車両１２は、冷凍装置２４に対して庫内を冷凍するための電力を供給する電源装置１３としてのバッテリ３１及び発電機３２と、バッテリ３１及び発電機３２から供給される電力をコンテナ１１へ伝送する送電コネクタ２１と、送電コネクタ２１と電気的に接続可能な車両側コネクタ２２とを備える。
【００２０】
バッテリ３１及び発電機３２から供給される電力は、電力供給部２７及びケーブル１７を介して送電コネクタ２１に伝送される。電力供給部２７は、バッテリ３１及び発電機３２の各々から出力される電力の送電形式、電圧値或いは電流値を適切な形式或いは値に変換し、変換後の電力を送電コネクタ２１に伝送する。ケーブル１７は、電力供給部２７と送電コネクタ２１との間を接続する、柔軟性を有する絶縁電線である。
【００２１】
送電コネクタ２１は、電力をコンテナ１１側へ伝送するための電力端子と、車両側コネクタ２２或いは後述するコンテナ側コネクタ２３との電気的な接続状態を検出するための送電側制御端子ＴＡとが１つに統合されたコネクタである。
【００２２】
車両側コネクタ２２は、送電コネクタ２１と電気的に接続することにより送電コネクタ２１の送電側制御端子ＴＡと短絡する制御端子ＴＢ１を備える。車両側コネクタ２２は車両１２に対して固定されている。よって、送電コネクタ２１を車両側コネクタ２２に電気的に接続することにより車両側コネクタ２２を車両１２に対して固定することができる。車両側コネクタ２２は、制御端子ＴＢ１を備えていればよく、電力を受給するための電力端子を備えていなくてもよい。
【００２３】
一方、コンテナ１１は、車両１２にコンテナ１１が搭載された状態で送電コネクタ２１と電気的に接続することができるコンテナ側コネクタ２３を備える。コンテナ側コネクタ２３は、電力を受給するための電力端子と、送電コネクタ２１との電気的な接続を検出するための制御端子ＴＢ２とが１つに統合されたコネクタである。また、コンテナ側コネクタ２３が送電コネクタ２１と電気的に接続することにより、電力を伝送することができると同時に、送電コネクタ２１の送電側制御端子ＴＡが、コンテナ側コネクタ２３の制御端子ＴＢ２と短絡する。
【００２４】
コンテナ側コネクタ２３から伝送される電力は、電力受給部２８を介して冷凍装置２４へ供給される。電力受給部２８は、車両側から伝送された電力を、冷凍装置２４に供給可能な電力形式、電圧値或いは電流量に変換し、変換後の電力を冷凍装置２４に供給する。このようにして、コンテナ側コネクタ２３が送電コネクタ２１と電気的に接続することにより、電源装置１３から冷凍装置２４へ庫内を冷凍するための電力を供給することができる。なお、冷凍装置２４は、コンプレッサを備え、コンプレッサを駆動させて庫内を冷凍する。よって、庫内を冷凍するための電力は、コンプレッサの駆動に必要な電力に相当する。
【００２５】
次に、ケーブル１７の切断を抑制するための制御系の構成について説明する。車両制御部１５は、車両１２のイグニションスイッチ２５からイグニッションがオン状態であるか又はオフ状態であるかを識別する信号を受信する。また、車両制御部１５は、イグニションスイッチ２５をオフ状態からオン状態へ切り替えることを許可するか否かを制御する。
【００２６】
車両制御部１５は、電力供給部２７に接続されている。車両制御部１５は、電力供給部２７を介して、送電コネクタ２１が車両側コネクタ２２及びコンテナ側コネクタ２３の何れかに電気的に接続されているか否かを示す信号を受信する。
【００２７】
具体的に、車両制御部１５は、電力供給部２７を介して、送電側制御端子ＴＡがいずれか一方の制御端子ＴＢ１、ＴＢ２と短絡しているか否かを示す信号を受信する。そして、車両制御部１５は、この信号に基づいて、送電コネクタ２１が車両側コネクタ２２及びコンテナ側コネクタ２３の何れかに電気的に接続されているか否かを判断する。
【００２８】
なお、車両側コネクタ２２及びコンテナ側コネクタ２３の何れかに電気的に接続されている場合、車両制御部１５は、更に、送電コネクタ２１が車両側コネクタ２２及びコンテナ側コネクタ２３の何れに接続されているかを判断しても構わない。この場合、送電側制御端子ＴＡが制御端子ＴＢ１と短絡している時に受信する信号と、送電側制御端子ＴＡが制御端子ＴＢ２と短絡している時に受信する信号とは異なる信号である。
【００２９】
車両制御部１５は、車両側警報部１４ａ、車両側通信部３３ａ及び車両１２が備える載置装置２６に接続されている。車両制御部１５は、車両側警報部１４ａが発する警報を制御し、車両側通信部３３ａと後述するコンテナ側通信部３３ｂとの間で行われる無線通信を制御し、そして、載置装置２６の運転を制御する。
【００３０】
車両側警報部１４ａは、車両１２の車室内に設けられ、後述する所定の条件が満たされた場合に、車両１２の乗員に対してケーブル１７が切断されるおそれについて警報を発する。
【００３１】
載置装置２６は、車両１２の荷台からコンテナ１１を降ろしたり、車両１２の荷台にコンテナ１１を載せたりする際に使用する装置である。載置装置２６の具体的な構成は、図３を参照して後述する。
【００３２】
一方、コンテナ１１は、コンテナ制御部１６と、コンテナ側警報部１４ｂと、コンテナ側通信部３３ｂとを備える。コンテナ側警報部１４ｂは、コンテナ１１の周囲で作業を行うユーザに対してケーブル１７が切断されるおそれについて警報を発する。コンテナ側警報部１４ｂは、載置装置２６を操作するための操作パネルに近接して設けることが望ましい。なぜなら、載置装置２６の操作パネルを操作するユーザに対して報知し易くなるからである。
【００３３】
コンテナ側通信部３３ｂは、車両側通信部３３ａとの間で無線通信を行う。コンテナ制御部１６は、電力受給部２８、冷凍装置２４、コンテナ側警報部１４ｂ及びコンテナ側通信部３３ｂを制御する。
【００３４】
図２（ａ）に示すように、柔軟性のあるケーブル１７を用いて、車両１２にコンテナ１１が搭載された状態で、送電コネクタ２１をコンテナ側コネクタ２３に接続することができる。この時、庫内を冷凍するための電力が伝送可能になると同時に、送電側制御端子ＴＡはコンテナ側の制御端子ＴＢ２と短絡する。そして、送電側制御端子ＴＡと制御端子ＴＢ２との短絡を示す信号が、図１の車両制御部１５に送信される。
【００３５】
図２（ｂ）に示すように、柔軟性のあるケーブル１７を用いて、送電コネクタ２１を車両側コネクタ２２に接続することもできる。この時、送電側制御端子ＴＡは車両側の制御端子ＴＢ１と短絡する。そして、送電側制御端子ＴＡと制御端子ＴＢ１との短絡を示す信号が、車両制御部１５に送信される。なお、前述したように、図２（ａ）の状態で送信される信号と図２（ｂ）の状態で送信される信号とは異なる信号であり、車両制御部１５は、図２（ａ）の状態で送信される信号と図２（ｂ）の状態で送信される信号とを識別できるようにしてもよい。
【００３６】
図３（ａ）に示すように、コンテナ１１を車両１２に搭載した場合、車両１２上の電力供給部２７と、コンテナ１１上の電力受給部２８とは隣接する位置に配置される。電力供給部２７が収納されたケースの内部或いはケースの表面に車両側コネクタ２２が形成され、電力受給部２８が収納されたケースの内部或いはケースの表面にコンテナ側コネクタ２３が形成されている。ケーブル１７は、送電コネクタ２１を車両側コネクタ２２及びコンテナ側コネクタ２３のいずれにも接続することができるだけの十分な長さを有する。図３（ａ）は送電コネクタ２１が車両側コネクタ２２に接続されている状態を示す。
【００３７】
図３（ｂ）は、車両１２が備える載置装置２６を用いてコンテナ１１を離脱する途中の様子を示す。ユーザは、載置装置２６を操作して、コンテナ１１を車両１２から離脱させたり、コンテナ１１を車両１２に載置したりすることができる。
【００３８】
図４を参照して、図１の車両制御部１５によるコンテナ着脱式冷凍車の制御動作の一例を説明する。
【００３９】
先ず、ステップＳ０１において、車両制御部１５は、送電コネクタ２１が車両側コネクタ２２に電気的に接続されているか否かを判断する。具体的に、車両制御部１５は、送電側制御端子ＴＡが制御端子ＴＢ１と短絡している時に送信される信号を受信するか否かを判断する。
【００４０】
送電コネクタ２１が車両側コネクタ２２に電気的に接続されていれば（Ｓ０１でＹＥＳ）、送電コネクタ２１はコンテナ側コネクタ２３に電気的に接続されていないことになるので、コンテナ１１を車両１２から離脱させてもケーブル１７を断線することはない。よって、コンテナ１１を車両１２から離脱させるために載置装置２６を運転することができる。また、送電コネクタ２１が車両側コネクタ２２に電気的に接続されているので、車両１２を走行させても送電コネクタ２１が脱落するおそれも少ない。
【００４１】
そこで、ステップＳ０２に進み、車両制御部１５は、コンテナ１１の離脱操作及び車両１２を走行させる操作を許可する。具体的には、車両１２が備えるエンジンの始動及び載置装置２６の運転を許可する。そして、車両制御部１５は、エンジンの始動及び載置装置２６の運転に対して警報を発する制御は行わない。例えば、車両制御部１５は、エンジンの始動及び載置装置２６の運転を許可する許可信号を出力することができる。この場合、許可信号を受信した場合に限り、イグニションスイッチ２５はオン状態にすることができ、載置装置２６も運転を開始することができる。その後、再びステップＳ０１に戻る。
【００４２】
一方、送電コネクタ２１が車両側コネクタ２２に接続されていなければ（Ｓ０１でＮＯ）、ステップＳ０３に進み、車両制御部１５は、送電コネクタ２１がコンテナ側コネクタ２３に接続されているか否かを判断する。具体的に、車両制御部１５は、送電側制御端子ＴＡが制御端子ＴＢ２と短絡している時に送信される信号を受信するか否かを判断する。
【００４３】
送電コネクタ２１がコンテナ側コネクタ２３に接続されていれば（Ｓ０３でＹＥＳ）、車両１２を走行させても送電コネクタ２１が脱落するおそれは少ない。そこで、ステップＳ０４に進み、車両制御部１５は、車両１２を走行させる操作を許可する。具体的には、車両１２が備えるエンジンの始動を許可する。そして、車両制御部１５は、エンジンの始動に対して警報を発する制御は行わない。例えば、車両制御部１５は、エンジンの始動を許可する許可信号を出力することができる。この場合、許可信号を受信した場合に限り、イグニションスイッチ２５をオン状態にすることができる。その後、再びステップＳ０１に戻る。
【００４４】
なお、図示は省略するが、ステップＳ０４において、車両１２を走行させる操作、例えばイグニションスイッチ２５をオン状態にする操作が検出された場合、車両制御部１５は、車両側警報部１４ａ及びコンテナ側警報部１４ｂに対して警報を発することを指示することができる。なぜなら、送電コネクタ２１がコンテナ側コネクタ２３に接続されているため、コンテナ１１を車両１２から離脱させると、ケーブル１７を切断してしまうからである。
【００４５】
また、車両制御部１５からコンテナ側警報部１４ｂへの指示は、車両側通信部３３ａ、コンテナ側通信部３３ｂ、及びコンテナ制御部１６を介して行われる。つまり、車両制御部１５は、警報を発する制御信号を車両側通信部３３ａを用いてコンテナ側通信部３３ｂへ無線送信し、コンテナ側通信部３３ｂにより受信された制御信号は、コンテナ制御部１６に転送される。コンテナ制御部１６は、この制御信号に基づいて、コンテナ側警報部１４ｂに対して警報を発することを指示すればよい。
【００４６】
一方、送電コネクタ２１がコンテナ側コネクタ２３に接続されていなければ（Ｓ０３でＮＯ）、送電コネクタ２１は車両側コネクタ２２及びコンテナ側コネクタ２３の何れにも接続されていないことになる。そこで、ステップＳ０５に進み、車両制御部１５は、送電コネクタ２１が車両側コネクタ２２及びコンテナ側コネクタ２３の何れにも接続されていないと判断して、載置装置２６の運転が開始されることを監視する。すなわち、コンテナ１１を車両１２から離脱する操作が開始されることを監視する。
【００４７】
載置装置２６の運転が開始される場合（Ｓ０５でＹＥＳ）、車両制御部１５は、コンテナ１１を車両１２から離脱する操作が開始されたと判断して、車両側警報部１４ａ及びコンテナ側警報部１４ｂに対して警報を発することを指示する。なお、コンテナ側警報部１４ｂが載置装置２６の操作パネルに近接して設けられている場合、車両１２の運転席に近接して設けられた車両側警報部１４ａに警報を発することを指示しなくてもよい。なぜなら、操作パネルを操作するユーザに対しては、コンテナ側警報部１４ｂのみから警報を発すれば十分だからである。
【００４８】
所定時間内に、載置装置２６の運転が開始されなければ（Ｓ０５でＮＯ）、ステップＳ０１に戻り、上記した処理を繰り返し実施する。
【００４９】
以上説明したように、本発明の第１の実施の形態によれば、以下の作用効果が得られる。
【００５０】
車両制御部１５は、送電コネクタ２１が、車両側コネクタ２２及びコンテナ側コネクタ２３の何れにも電気的に接続されていない時に、コンテナ１１を車両１２から離脱する操作が開始された場合に、警報部（１４ａ、１４ｂ）に警報を発することを指示する。これにより、コネクタ同士の機械的な接続不良により電気的に接続されていない場合、或いは電源装置１３とコンテナ１１の電力受給部２８とを接続するケーブル１７内に断線が生じしている場合における、コンテナ１１の離脱操作に対して警報を発することができる。よって、ケーブルを切断してしまうことを更に抑制できる。
【００５１】
車両制御部１５は、送電コネクタ２１が、車両側コネクタ２２に電気的に接続されている時に限り、コンテナ１１の離脱操作を許可する。これにより、送電コネクタ２１が、車両側コネクタ２２に電気的に接続されていなければ、コンテナ１１の離脱操作が禁止されるので、ケーブル１７の切断を更に抑制できる。
【００５２】
車両制御部１５は、送電コネクタ２１が、車両側コネクタ２２或いはコンテナ側コネクタ２３に電気的に接続されている時に限り、車両１２を走行させる操作を許可する。これにより、送電コネクタ２１が、車両側コネクタ２２或いはコンテナ側コネクタ２３に電気的に接続されていなければ、車両１２を走行させる操作が禁止されるので、走行中にケーブル１７が切断されて送電コネクタ２１が車両１２から脱落してしまうことを更に抑制できる。
【００５３】
送電コネクタ２１は送電側制御端子ＴＡを備え、車両側コネクタ２２及びコンテナ側コネクタ２３は、送電コネクタ２１と電気的に接続されることにより、送電側制御端子ＴＡと短絡する制御端子ＴＢ１、ＴＢ２をそれぞれ備える。車両制御部１５は、送電側制御端子ＴＡがいずれか一方の制御端子ＴＢ１、ＴＢ２と短絡しているか否かに応じて、送電コネクタ２１が車両側コネクタ２２及びコンテナ側コネクタ２３の何れかに電気的に接続されているか否かを判断する。これにより、コネクタ同士の接続状態或いは非接続状態を正しく判断することができる。
【００５４】
[第２の実施の形態]
第１の実施の形態では、図４を参照して、送電コネクタ２１が、車両側コネクタ２２及びコンテナ側コネクタ２３の何れにも電気的に接続されていない時に、コンテナ１１を車両１２から離脱する操作が開始された場合に、警報を発する制御動作を説明した。
【００５５】
これに対して、第２の実施の形態では、図５を参照して、送電コネクタ２１が、車両側コネクタ２２及びコンテナ側コネクタ２３の何れにも電気的に接続されていない時に、車両１２を走行させる操作が開始された場合に、警報を発する制御動作について説明する。
【００５６】
なお、第２の実施の形態に係わるコンテナ着脱式冷凍車の構成は、第１の実施の形態と同じであり、図示及び説明を省略する。
【００５７】
図５のステップＳ０１〜Ｓ０４は、図４のステップＳ０１〜Ｓ０４と同じ処理内容であり、説明を省略する。図４のステップＳ０５及びＳ０６の代わりに、図５のステップＳ０７及びＳ０８を実施する。
【００５８】
ステップＳ０３において、送電コネクタ２１がコンテナ側コネクタ２３に接続されていないと車両制御部１５が判断した場合（Ｓ０３でＮＯ）、送電コネクタ２１は車両側コネクタ２２及びコンテナ側コネクタ２３の何れにも接続されていないことになる。そこで、ステップＳ０７に進み、車両制御部１５は、エンジンの始動を監視する。すなわち、車両１２を走行させる操作が開始されることを監視する。
【００５９】
エンジンが始動された場合（Ｓ０７でＹＥＳ）、車両制御部１５は、車両１２を走行させる操作が開始されたと判断して、車両側警報部１４ａ及びコンテナ側警報部１４ｂに対して警報を発することを指示する（ステップＳ０８）。なお、車両側警報部１４ａが車両１２の運転席に近接して設けられている場合、載置装置２６の操作パネルに近接して設けられたコンテナ側警報部１４ｂに警報を発することを指示しなくてもよい。なぜなら、エンジンが始動させるユーザ（運転者）に対しては、車両側警報部１４ａのみから警報を発すれば十分だからである。
【００６０】
所定時間内に、エンジンが始動されなければ（Ｓ０７でＮＯ）、ステップＳ０１に戻り、上記した処理を繰り返し実施する。
【００６１】
以上説明したように、本発明の第２の実施の形態によれば、以下の作用効果が得られる。
【００６２】
車両制御部１５は、送電コネクタ２１が、車両側コネクタ２２及びコンテナ側コネクタ２３の何れにも電気的に接続されていない時に、車両１２を走行させる操作が開始された場合に、警報部（１４ａ、１４ｂ）に警報を発することを指示する。これにより、車両１２にコンテナ１１が搭載されていない時、送電コネクタ２１が車両側コネクタ２２に接続されていなければ警報を発することができるので、走行中にケーブル１７が切断されて送電コネクタ２１が車両１２から脱落してしまうことを抑制できる。
【００６３】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【００６４】
本発明の実施の形態では、コンテナ１１の搭載及び離脱を行う載置装置２６を車両１２が備える場合について説明したが、載置装置は車両１２外部に配置されていてもよい。この場合、「コンテナ１１を車両１２から離脱する操作」は、例えば、コンテナ１１を車両１２から離脱する際に、コンテナ１１を車両１２の荷台に固定していたロック機構を解除する操作であればよい。具体的には、図４及び図５のステップＳ０２で、載置装置２６の運転を許可する信号を送信する代わりに、車両制御部１５は、ロック機構を解除する操作を許可する信号を送信し、図４のステップＳ０５で、ロック機構を解除する操作を監視すればよい。
【００６５】
なお、本明細書において、「冷凍」とは、庫内に収納される物品を凍結させることのみならず、セ氏零度に近い低温で貯蔵することも含まれる用語である。
【符号の説明】
【００６６】
１１…コンテナ
１２…車両
１３…電源装置
１４ａ…車両側警報部（警報部）
１４ｂ…コンテナ側警報部（警報部）
１５…車両制御部（制御部）
１６…コンテナ制御部
１７…ケーブル
２１…送電コネクタ
２２…車両側コネクタ
２３…コンテナ側コネクタ
２４…冷凍装置
２５…イグニションスイッチ
２８…電力受給部
３１…バッテリ（電源装置）
３２…発電機（電源装置）
ＴＡ…送電側制御端子
ＴＢ１、ＴＢ２…制御端子
【図１】
2014008919.tif 000003
【図２】
2014008919.tif 000004
【図３】
2014008919.tif 000005
【図４】
2014008919.tif 000006
【図５】
2014008919.tif 000007